(57)【特許請求の範囲】
【請求項１】
システムであって、
出力電力を供給する電源として構成されたオーディオ増幅器（３０４）と、
前記オーディオ増幅器の入力に結合され、交流（ＡＣ）活性化を提供して複数のオーディオ出力段に電力を供給するために前記オーディオ増幅器への変調入力波形を生成するオーディオ信号生成器と、前記オーディオ増幅器の出力にマルチチャネルデジタルデータを出力するデジタルオーディオトランスミッタとを有する第１のデジタルデータトランシーバ（３０２）と、
前記オーディオ増幅器の出力を複数のスピーカーに結合し、前記出力電力及びマルチチャネルデジタルデータを前記第１のデジタルデータトランシーバから前記複数のスピーカーに送信する単一の伝送バス（３０６）と、
複数のスピーカー（３１０）の各スピーカーに関連付けられ、関連するスピーカーを駆動するために前記出力電力から電力をリカバーし、前記マルチチャネルデジタルデータの適切なチャネルを関連するスピーカーに送信する電力リカバリー回路（３０９）を有する追加のデジタルデータトランシーバ（３０８）と、を備え、
各追加デジタルデータトランシーバは、
蓄積された電力を用いて、関連するスピーカーが前記出力電力の電圧スイングを超える電圧レベルに駆動されることを可能にする前記電力リカバリー回路内の容量性ストレージ素子に結合された低インピーダンス・スピーカードライバと、
送信モードまたは受信モードで動作するように構成され、前記マルチチャネルデジタルデータにおいて提供されたチャネル割り当てをデコードし、デコードされたチャネル割り当てに基づいて異なるソースコンテンツが前記複数のスピーカーの各スピーカーを介して再生されるように、関連するスピーカーに適合したマルチチャネルデジタルデータを変調するように構成された専用デジタルデータトランシーバと、を含む、システム。
【請求項２】
前記第１のデジタルデータトランシーバへの入力は、マルチチャネルデジタルオーディオを含み、
前記第１のデジタルデータトランシーバは、前記電力および前記マルチチャネルデジタルオーディオを同期させて調整して、前記単一の伝送バスを介して送信される最適なタイミング、振幅および位相特性を補償するように構成される、請求項１に記載のシステム。
【請求項３】
前記オーディオ増幅器に提供される前記交流（ＡＣ）活性化は、アナログオーディオ帯域変調信号を含む、請求項１に記載のシステム。
【請求項４】
前記単一の伝送バスは、１０〜２０ゲージのスピーカーワイヤーの２本または３本の導体を有する単一のマルチ導体ケーブルを含み、
前記マルチ導体ケーブルが３本の導体を備える場合に、第３の導体はアース接地を含む、請求項１〜３のいずれか１項に記載のシステム。
【請求項５】
前記電力は、０（ＤＣ）〜２０ｋＨｚの電力信号オーディオ帯域内でコード化され、デジタルオーディオデータは、１ＭＨｚ〜１００ＭＨｚのデジタルオーディオ送信帯域内でコード化される、請求項１に記載のシステム。
【請求項６】
前記電源および各追加デジタルデータトランシーバは、ＩＥＥＥ  １９０１またはＧ．ｈｎプロトコルの少なくとも１つを含む標準化された電力線通信インタフェースを使用して前記単一の伝送バスを介して結合される、請求項１に記載のシステム。
【請求項７】
前記マルチチャネルデジタルデータは、インターネットプロトコル（ＩＰ）送信を使用して送信され、
前記第１のデジタルデータトランシーバは、ＩＰベースのストリーミングオーディオデータを受信するＩＰインタフェースを含み、
前記ＩＰベースのストリーミングオーディオデータは、チャネルベースのオーディオおよびオブジェクトベースのオーディオを有する適応オーディオコンテンツの少なくとも一部を含む、請求項１〜６のいずれか１項に記載のシステム。
【請求項８】
前記複数のスピーカーの少なくともいくつかは、
サラウンドサウンドフォーマットに従って複数の離散チャネルに割り当てられた複数のオーディオ信号を再生するサラウンドサウンドオーディオシステムを含む、請求項７に記載のシステム。
【請求項９】
前記複数のスピーカーのうちの少なくともいくつかは、マルチドライバスピーカーを含み、
前記マルチドライバスピーカーに関連する前記追加のデジタルデータトランシーバは、前記適切なチャネルの第１の部分を第１のドライバに送信し、前記マルチドライバスピーカーの第２のドライバに第２の部分を送信するバイアンプ回路を含む、請求項８に記載のシステム。
【請求項１０】
前記単一の伝送バスは、二線式導体スピーカーワイヤーまたはアース接地導体を含む三線式導体ＡＣ電力ケーブルのうちの１つを含む、請求項１に記載のシステム。
【請求項１１】
各追加デジタルデータトランシーバは、直接密結合、埋め込み回路、または送信リンクのうちの１つを介して各スピーカーに関連付けられる、請求項１に記載のシステム。
【発明の詳細な説明】
【技術分野】
【０００１】
1つまたは複数の実施形態は、一般に、オーディオ信号処理に関し、より詳細には、マルチチャネルオーディオの再生のための分散型増幅およびラウドスピーカシステムに関する。
【背景技術】
【０００２】
デジタルシネマの導入および実３次元（３Ｄ）（true three-dimensional）または仮想３Ｄコンテンツの開発により、複数のチャネルのオーディオを組み込んで、コンテンツ制作者にとってより大きな創造性および観客にとってより包括的かつ現実的な聴覚体験を可能にするようなオーディオの新たなスタンダードが提供されている。空間オーディオを配信する手段として、従来のスピーカーフィードやチャネルベースのオーディオを超えて拡張することは非常に重要である。リスナーが、選択された構成に対して特別にレンダリングされたオーディオを用いて所望の再生構成を選択することを可能にするモデルベースのオーディオ記述にかなりの関心が寄せられている。音の空間的なプレゼンテーションは、見かけの（apparent）音源位置（例えば、３Ｄ座標）、見かけの音源幅、及び他のパラメータのパラメトリック音源記述（parametric source description）を伴うオーディオ信号であるオーディオオブジェクトを利用する。さらなる改良は、オーディオオブジェクトの位置メタデータと共に、オーディオオブジェクトと従来のチャネルベースのスピーカーフィード（channel-based speaker feeds）との混合を含む次世代空間オーディオ（「適応オーディオ（adaptive audio）」とも呼ばれる）フォーマットを含む。空間オーディオ・デコーダでは、チャネルは、関連する複数のスピーカーに直接的に送信されるか、または既存のスピーカセットにダウンミックスされ、オーディオオブジェクトは、デコーダによってフレキシブル（適応）方式でレンダリングされる。３Ｄ空間における位置軌道のような各オブジェクトに関連するパラメトリック音源記述は、デコーダに接続されたスピーカーの数および位置とともに入力として取得される。次にレンダラー（renderer）は、各オブジェクトに関連付けられたオーディオ（「オブジェクトベースのオーディオ（object-based audio）」）を、取り付けられたスピーカーのセット全体に分散させるために、パンニング法などの特定のアルゴリズムを利用する。各オブジェクトの作成された空間的意図（authored spatial intent）は、リスニングルームに存在する特定のスピーカー構成全体に最適に提供される。
【０００３】
適応型オーディオシステムの導入に伴い、必要とされる増幅器チャネルの数が大幅に増加し（例えば、３２以上のチャネル）、新しい増幅器および／またはより高いチャネル数の増幅器が必要となる。さらに、各サラウンドラウドスピーカーは、それ自体の増幅チャネルを必要とするので、既存の劇場のサウンドシステムをアップグレードするには、大幅な変更（例えば、ポイントツーポイントの個別配線のためのスピーカーの並列組合せの除去）が必要である。図１は、既存の技術を使用するマルチチャネルアプリケーションの典型的な増幅手法を示す図である。図１に示すように、９つの個別のスピーカーまたはスピーカー１０８のセットを有する９つのチャネル１０２を有するシステムは、９つの個別の増幅器１０４，９つの個別のケーブルラン１０６、および５つ以上の電源（２チャネル増幅器の内部）を必要とする。このようなシステムは、サラウンドサウンドオーディオを再生する現在の映画館で見られる典型的なアンプスピーカー・レイアウトを表し、そのようなシステムで現在使用されているハードウェアおよびインフラストラクチャの量を示している。劇場内で現在サポートされているトポグラフィーよりも大きい増幅および配線インフラストラクチャを変更することは費用がかかる作業であり、既存のオーディオアンプやケーブルを置き換えることは、新しいオーディオフォーマットに対応するための効率的なアップグレード方法ではない。多くの場合、中規模から大規模なサラウンドサウンド環境で使用されるオーディオアンプは、出力能力の高い高品質なデバイスであるが、Ｄｏｌｂｙ  Ａｔｍｏｓシステムなどの高度なマルチチャネルシステムをサポートするのに十分なチャネルがない。
【０００４】
したがって、高度なオーディオ再生アプリケーションに見られる機能を追加しながら、柔軟で費用対効果の高い電力分配（flexible, cost-effective power distribution）を提供するインテリジェントオーディオインターフェースシステムが必要とされている。更に必要とされるのは、家庭及びプロフェッショナルなリスニング環境のための効果的なアップグレードパスを提供し、最小の設置及び改良コストで高度なオーディオコンテンツを再生するシステムである。
【０００５】
背景技術で説明された発明の主題は、単に背景技術で言及した結果として、先行技術であると想定すべきではない。同様に、背景技術で言及された問題または背景技術の発明の主題に関連する問題は、先行技術においてこれまでに認識されていると想定すべきではない。背景技術の発明の主題は、単にそれ自体が発明であってもよい異なるアプローチを示しているに過ぎない。Ｄｏｌｂｙ、Ｄｏｌｂｙ  Ｄｉｇｉｔａｌ  Ｐｌｕｓ、およびＡｔｍｏｓは、Ｄｏｌｂｙ  Ｌａｂｏｒａｔｏｒｉｅｓ  Ｌｉｃｅｎｓｉｎｇ  Ｃｏｒｐｏｒａｔｉｏｎの商標である。
【発明の概要】
【課題を解決するための手段】
【０００６】
複数の実施形態は、システムに関し、該システムは、電力を出力する電源と、マルチチャネルデジタルデータを前記電源および前記電源の出力に出力する第１のデジタルデータトランシーバと、前記電源の出力を複数のスピーカーに結合し、前記電力及びマルチチャネルデジタルデータを前記複数のスピーカーに送信する単一の伝送バスと、複数のスピーカーの各スピーカーに関連付けられ、関連するスピーカーを駆動するために電力をリカバーし、前記マルチチャネルデジタルデータの適切なチャネルを関連するスピーカーに送信するように構成された追加のデジタルデータトランシーバと、を備える。
【０００７】
前記第１のデジタルトランシーバへの入力は、マルチチャネルデジタルオーディオを含み、前記第１のデジタルトランシーバは、前記電力および前記マルチチャネルデジタルオーディオを同期させて調整して、前記単一の伝送バスを介して送信される最適なタイミング、振幅および位相特性を補償するように構成されてもよい。
【０００８】
前記単一の伝送バスは、２本または３本の導体を有する単一のマルチ導体ケーブルを含み、前記マルチ導体ケーブルが３本の導体を備える場合に、第３の導体はアース接地を含んでもよい。
【０００９】
個別の複数のスピーカーに関連付けられた（つまり、複数のラウドスピーカーの近くまたは複数のラウドスピーカー内に位置された）各追加デジタルデータトランシーバは、容量性記憶素子に結合された低インピーダンス・スピーカードライバを含む電力リカバリー回路と、送信モードまたは受信モードで動作するように構成され、前記マルチチャネルデジタルデータにおいて提供されたチャネル割り当てをデコードし、デコードされたチャネル割り当てに基づいて異なるソースコンテンツが前記複数のスピーカーの各スピーカーを介して再生されるように、関連するスピーカーに適合したマルチチャネルデジタルデータを変調するように構成された専用デジタルデータトランシーバと、を備えてもよい。
【００１０】
前記電力は、０（ＤＣ）〜２０ｋＨｚの電力信号オーディオ帯域内でコード化され、前記デジタルオーディオデータは、１ＭＨｚ〜１００ＭＨｚのデジタルオーディオ送信帯域内でコード化されてもよいが、実施形態はこれに限定されない。非標準のオーディオ増幅器が使用される用途では、２，３百または数百ｋＨｚ（例えば、０（ＤＣ）から５００ｋＨｚ）の高い電力送信帯域で電力が送信されてもよい。
【００１１】
前記電源および各追加デジタルデータトランシーバは、ＩＥＥＥ  １９０１またはＧ．ｈｎプロトコルまたは同様のプロトコルの少なくとも１つを含む標準化された電力線通信インタフェースを使用して前記単一の伝送バスを介して結合されてもよい。
【００１２】
前記マルチチャネルデジタルデータは、インターネットプロトコル（ＩＰ）送信を使用して送信され、前記第１のデジタルデータトランシーバは、ＩＰベースのストリーミングオーディオデータを受信するＩＰインタフェースを含み、前記ＩＰベースのストリーミングオーディオデータは、チャネルベースのオーディオおよびオブジェクトベースのオーディオを有する適応オーディオコンテンツの少なくとも一部を含んでもよい。
【００１３】
一実施形態では、前記複数のスピーカーの少なくともいくつかは、サラウンドサウンドフォーマットに従って複数の離散チャネルに割り当てられた複数のオーディオ信号を再生するサラウンドサウンドオーディオシステムを含み、前記複数のスピーカーのうちの少なくともいくつかは、マルチドライバスピーカーを含み、前記マルチドライバスピーカーに関連する前記追加のデジタルデータトランシーバは、前記適切なチャネルの第１の部分を第１のドライバに送信し、前記マルチドライバスピーカーの第２のドライバに第２の部分を送信するバイアンプ回路を含む。
【００１４】
複数の実施形態は、方法にさらに関し、該方法は、第１の送信帯域内で送信されるマルチチャネルデジタルデータおよび第２の送信帯域内で送信される電力をコード化すること、単一の伝送バスを介して複数のスピーカーにデジタルデータおよび電力を送信すること、異なるソースコンテンツが前記複数のスピーカーの各スピーカーを介して再生されるように、前記複数のスピーカーの各スピーカーで、電力をリカバリーし、前記スピーカーを駆動して前記データをデコードして前記スピーカーを介して前記マルチチャネルデジタルデータの特定チャネルを再生すること、を備える。
【００１５】
前記マルチチャネルデジタルコンテンツは、デジタルオーディオコンテンツを含み、前記単一の伝送バスを介して送信されるデータの最適なタイミング、振幅および位相特性を補償するように、前記電力および前記デジタルオーディオを同期させて調整することをさらに備える。
【００１６】
前記第１の送信帯域は、０（ＤＣ）〜２０ｋＨｚまたはより高い（例えば、数百ｋＨｚ）電力信号オーディオ帯域を含み、前記第２の送信帯域は、１０ＭＨｚ〜１００ＭＨｚのデジタルオーディオ送信帯域を含んでもよい。
【００１７】
インターネットプロトコル（ＩＰ）通信システムを使用して前記単一の伝送バスを介して前記デジタルオーディオを送信すること、ＩＥＥＥ  １９０１またはＧ．ｈｎプロトコルまたは同様のプロトコルのうちの少なくとも１つを含む標準化された電力線通信インタフェースを使用して前記単一の伝送バスを介して電力を伝送すること、をさらに備えてもよい。
【００１８】
前記デジタルオーディオは、チャネルベースのオーディオおよびオブジェクトベースのオーディオを有する適応オーディオコンテンツの少なくとも一部を含み、複数のスピーカーの少なくともいくつかは、サラウンドサウンドフォーマットに従って、離散チャネルに割り当てられたオーディオを再生するサラウンドサウンドオーディオシステムを含んでもよい。
【００１９】
方法は、アナログオーディオデータを受信すること、アナログ−デジタルコンポーネントを用いて前記アナログオーディオデータをデジタルオーディオコンテンツに変換すること、をさらに備えてもよい。
【００２０】
前記単一の伝送バスは、２本または３本の導体を有する単一のマルチ導体ケーブルを含み、前記マルチ導体ケーブルが３本の導体を備える場合に、第３の導体はアース接地を含んでもよい。
【００２１】
複数の実施形態は、装置にさらに関し、該装置は、送信スペクトルの第１の送信帯域内でコード化された電力を出力する電源と、前記送信スペクトルの第２の送信帯域内でコード化されたマルチチャネルデジタルデータを前記電源の入力および前記電源の出力に出力する第１のデジタルデータトランシーバと、を備え、前記電源の出力は、前記複数のスピーカーに前記電力およびマルチチャネルデジタルデータを供給する単一の伝送バスに結合されるように構成され、各スピーカーは、電力をリカバリーして、関連するスピーカーに前記マルチチャネルデジタルデータの適合したチャネルを送信するように構成された各デジタルデータレシーバに関連付けられる。
【００２２】
前記第１のデジタルトランシーバへの入力は、マルチチャネルデジタルオーディオを含み、前記第１のデジタルトランシーバは、前記電力および前記マルチチャネルデジタルオーディオを同期させて調整して、前記単一の伝送バスを介して送信される最適なタイミング、振幅および位相特性を補償するように構成される。
【００２３】
前記デジタルオーディオは、チャネルベースのオーディオおよびオブジェクトベースのオーディオを有する適応オーディオコンテンツを少なくとも部分的に含み、複数のスピーカーの少なくともいくつかは、サラウンドサウンドフォーマットに従って離散チャネルに割り当てられたオーディオを再生するサラウンドサウンドオーディオシステムを含んでもよい。
【００２４】
複数の実施形態は、装置にさらに関し、該装置は、各スピーカーに関連付けを提供するコンポーネントと、第１の周波数帯域でコード化され、オーディオおよびデータの両方を同じ導体上で送信する単一の伝送バスを介して送信される電力を受信するように構成された電力リカバリー回路であって、容量性記憶素子に結合された低インピーダンス・スピーカードライバを含む前記電力リカバリー回路と、送信モードと受信モードとの間で切り替え可能であり、マルチチャネルデジタルデータを受信して前記マルチチャネルデジタルデータにおいて提供されたチャネル割り当てをデコードし、デコードされたチャネル割り当てに基づいて異なるソースコンテンツが各スピーカーを含むスピーカーアレイの各スピーカーを介して再生されるように、各スピーカーに適合したマルチチャネルデジタルデータを変調するように構成された専用デジタルデータトランシーバと、を備える。
【００２５】
前記コンポーネントは、直接密結合、埋め込み回路、または短い送信リンクのうちの少なくとも１つを含む。
前記単一の伝送バスを介して出力する第１のデジタルデータトランシーバと前記電力を出力する電源とに対するインターフェースをさらに備えてもよい。
【００２６】
前記マルチチャネルデジタルデータは、チャネルベースのオーディオおよびオブジェクトベースのオーディオを有する適応オーディオコンテンツの少なくとも一部を含むデジタルオーディオを含み、前記スピーカーアレイの複数のスピーカーの少なくともいくつかは、サラウンドサウンドフォーマットに従って離散チャネルに割り当てられたオーディオを再生するサラウンドサウンドオーディオシステムを含んでもよい。
【００２７】
複数の実施形態は、伝送バスにさらに関し、該伝送バスは、電力及びデジタルオーディオデータを供給するトランシーバに対するインタフェースと、単一のシース（unitary sheath）内の一対の導体であって、電力およびデジタルオーディオデータを複数のラウドスピーカーに同時に伝送し、前記デジタルオーディオデータは、複数の異なるラウドスピーカーで個々に再生される複数のオーディオコンポーネントを有する適応オーディオコンテンツを含む、前記一対の導体と、複数のタップと、を備え、各タップは、一対の導体によって一緒に結合された複数のラウドスピーカーの各ラウドスピーカーへの別個のリンクを提供する。
【００２８】
前記電力は、第１の周波数帯域内でコード化され、前記デジタルオーディオデータは、第２の周波数帯域内でコード化され、前記複数のラウドスピーカーの各ラウドスピーカーは、電力をリカバリーし、適切なオーディオ信号で関連するスピーカーを駆動するために前記オーディオをデコードするスピーカーユニットに関連付けられてもよい。
【図面の簡単な説明】
【００２９】
【図１】既存の技術を使用するマルチチャネルアプリケーションの典型的な増幅手法を示す図である。
【図２】いくつかの実施形態における分散型増幅システムを示す。
【図３】いつくかの実施形態における図１の分散型増幅システムのコントロールユニットおよびスピーカーユニットの構成要素を示す。
【図４】一実施形態における周波数帯域による電力信号とオーディオ信号の分離を示す。
【図５】スピーカーユニットが複数のドライバまたは複数のスピーカー要素を駆動するバイアンプの実施形態を示す。
【図６】分散型増幅システムを利用する適応型オーディオサラウンドシステム（例えば、９．１サラウンド）におけるスピーカー配置の一例を示す。
【発明を実施するための形態】
【００３０】
以下の図面において、同様の参照番号は同様の要素を指すために使用される。以下の図は様々な例を示しているが、1つまたは複数の実施形態は、図に示された例に限定されない。
【００３１】
複数のシステムおよび複数の方法は、個々のオーディオ増幅段を電源から分離するハイブリッド増幅構造（hybrid amplification architecture）と、電力信号およびオーディオ信号の両方を複数のデイジーチェーン接続されたスピーカー（daisy-chained speakers）に送信してサラウンドスピーカーやオーバーヘッドスピーカーを含む拡張サラウンドサウンド環境において適応型オーディオコンテンツを再生する簡易的な２線式または３線式の導体バス（two- or three-conductor bus）に関して記載されている。
【００３２】
本明細書で説明される1つまたは複数の実施形態の態様は、ソフトウェア命令を実行する1つまたは複数のコンピュータまたは処理デバイスを含むミキシング、レンダリングおよび再生システムにおいてソースオーディオ情報を処理するオーディオまたはオーディオビジュアルシステムで具体化され得る。説明される実施形態のいずれも、単独で、または任意の組み合わせで互いに一緒に用いられ得る。様々な実施形態が、明細書の1つ以上の箇所で説明されるかまたは言及され得る先行技術による様々な欠点によって動機付けされたかもしれないが、実施形態は必ずしもこれらの欠点のいずれかに対処する必要はない。言い換えれば、異なる実施形態は、本明細書で説明される異なる欠点に対処してもよい。いくつかの実施形態は、本明細書で説明されるいくつかの欠点またはただ1つの欠点に部分的に対処するだけでもよく、いくつかの実施形態は、これらの欠点のいずれにも対処しなくてもよい。
【００３３】
本明細書の目的のために、以下の用語は、関連する意味を有する。「チャネル」という用語は、オーディオ信号と、位置がチャネル識別子としてコード化されたメタデータ（例えば、左前または右上のサラウンド）を意味する。「チャネルベースのオーディオ（channel-based audio）」という用語は、関連付けられた名目上の位置（例えば、５．１，７．１など）を有するスピーカーゾーンの所定のセットを介して再生するためにフォーマットされたオーディオである。「オブジェクト」または「オブジェクトベースのオーディオ」という用語は、見かけのソース位置（例えば、３Ｄ座標）、見かけのソース幅などのパラメトリックソース記述（parametric source description）を有する１つまたは複数のオーディオチャネルを意味する。「適応オーディオ（adaptive audio）」という用語は、オーディオストリームと、空間内の３Ｄ位置としてコード化されたメタデータとを使用して、再生環境に基づいてオーディオ信号をレンダリングするチャネルベースおよび/またはオブジェクトベースのオーディオ信号とメタデータとを意味する。「適応ストリーミング（adaptive streaming）」という用語は、適応的に変化し（例えば、チャネルベースからオブジェクトベースに戻るか、または再び戻る）、オンラインストリーミングアプリケーションでは一般的であるオーディオタイプを指し、オーディオのフォーマットは、変動する帯域幅の制約に比例しなければならない（すなわち、オブジェクトオーディオがより高いデータレートになる傾向があるので、より低い帯域幅条件におけるフォールバック（fallback）はチャネルベースのオーディオであることが多い）。「リスニング環境（listening environment）」という用語は、オーディオコンテンツ単体またはビデオもしくは他のコンテンツの再生に使用され、家庭、映画館、劇場、オーディトリアム（auditorium）、スタジオ、ゲーム機などにおいて具体化され得る空間等の開放された、部分的に囲まれた、または完全に囲まれた領域を意味する。
【００３４】
図２は、いくつかの実施形態に従った分散型増幅システムを示す。図２のシステム２００は、任意の数Ｎ個のスピーカー２０８を備えたマルチチャネルスピーカーシステムである。単一の増幅器と名目上は単一の電源（または電源の半分）と別個の専用ケーブルをスピーカーチャネルごとに設ける代わりに、システム２００は、単一の主増幅器２０２、単一のケーブルラン（cable run）（「バス」）２０６、およびＮ個のスピーカーチャネル２１０のすべてのための電源（power supply）２０４を特徴付ける。電力および信号分配インフラストラクチャにおけるこの簡易化を達成するために、各スピーカーチャネルは、コントロールユニット２０２によって生成された電力信号およびオーディオ信号を受信してリカバーする（recover）専用のスピーカーユニット２０８と関連付けられる。Ｎ個のチャネルは、システム要件によって指示される任意の実用的な数のチャネルとすることができる。標準的なサラウンドサウンド設定では、Ｎは、「７」または「９」であり、複数の高さスピーカー（height speakers）を備えたＡｔｍｏｓタイプのシステムでは、Ｎは、およそ「１６」または「２４」チャネルかまたはそれ以上となり得る。サラウンドサウンドフォーマットに加えて、実施形態は、プロフェッショナルなライブサウンドアプリケーションおよび／または分散型オーディオシステム内での使用のために構成され得る。
【００３５】
システム２００のアーキテクチャは、高いチャネル数の増幅器および複数のポイントツーポイント（point-to-point）のケーブルを使用することなく、オーディオの電力および信号を複数のスピーカーに分配することを可能にして、各ラウドスピーカーに独立した駆動を可能させつつ（すなわち、各ラウドスピーカーに別々のオーディオ信号が存在する）、オーディオ電力増幅器のチャネル数および独立したラウドスピーカーケーブルを削減する。増幅器２０４は、バス２０６を介して電力信号を送信するための最適なまたは標準のオーディオ増幅器として具体化され得る電源である。コントロールユニット２０２は、Ｎチャネルデジタルオーディオトランシーバ（N-channel digital audio transceiver）と、同じバスケーブル上にデジタルオーディオ信号を追加するオーディオ信号生成器と、を含む。デジタルオーディオトランシーバ２０２は、オーディオ増幅器２０４によって生成された電力信号がある場合に複数のデジタルオーディオストリームを送信する。これらの２つの信号ストリーム（電力およびデータ）は、バス２０６を介して同時に送信され、各ラウドスピーカー２１０に内蔵された（または近接して結合された）小型電子スピーカーユニット２０８によって受信される。スピーカーユニットは、電力をリカバーし、デジタルオーディオストリームを受信し、選択された信号でスピーカーを駆動する。一実施形態では、バスケーブル２０６は、標準のゲージ（gauge）（例えば、１０〜２０ゲージ）の単一の標準二線式導体スピーカーケーブル（standard two-conductor speaker cable）であり、複数のチャネルのデジタルオーディオおよび適切な電力を、同じ二線式導体ケーブルに接続された独立したラウドスピーカーに送信する。つまり、多くのスピーカーをデイジーチェーン接続またはパラレル方式で配線しながら、独立したオーディオチャネルを各スピーカー（すなわち、異なる信号およびボリューム）で再生できるようにすることができる。バスケーブルは、単一の導体がアース接地であるＡＣ電源ケーブルまたは他の同様の単純な導体ケーブルのような単純な二線式導体スピーカーケーブルまたは三線式導体ケーブルとして具体化され得る。従来のスピーカーケーブル（すなわち、標準のワイヤーケーブル）の代わりに、ソリッドコア（solid-core）Ｒｏｍｅｘ（一般的なＡＣ配線ケーブル）ケーブルを使用することができる。
【００３６】
電源２０４は、標準的な電力増幅器として具体化され得る。あるいは、電源２０４は、オーディオ増幅器に類似しているが、はるかに高い電力効率および電力スループットを有する高度に最適化されたベースバンドＡＣまたはＤＣ電源（highly-optimized base-band AC or DC power source）として具体化されてもよい。この実施形態では、システムは、最大電力伝送、最小限の電力損失、および最小コストのために高度に最適化される。
【００３７】
ラウドスピーカー２１０は、単一のエンクロージャ（キャビネット）内の単一のドライバまたはトランスデューサ（transducer）、複数の異なるオーディオコンポーネント（例えば、ウーファー、ミッドレンジ、ツイーター（tweeter））またはスピーカーアレイを操作する複数の異なるトランスデューサを有するマルチドライバ・ラウドスピーカーを示すことができる。一実施形態では、スピーカーユニット２０８は、バイアンプシステムにおいて各スピーカーコンポーネント（例えば、ウーハー、ツイーターなど）を独立して駆動するための追加回路を含むこともできる。コントロールユニットと各スピーカーユニットの両方は、コントロールユニットのデジタルオーディオトランシーバとバス上にある複数のスピーカーとの間の双方向データフロー（bidirectional data flow）を可能にするトランシーバ段（transceiver stage）を含む。したがって、他の情報が、ラウドスピーカーに、およびラウドスピーカーから伝送され得る。例えば、ラウドスピーカーは、遠隔測定（telemetry）（例えば、下方角度（down-angle）、温度など）を報告することができ、および／または設定情報が個々のスピーカーに送信され得る（例えば、ボリューム制御、ＬＥＤ照明効果制御、電動パンチルト（motorized pan-tilt）の角度調整等）。スピーカー内のバイアンプ（bi-amplification）を利用するシステムでは、２つ（またはそれ以上）のオーディオ信号の導出が、単一のオーディオストリームをスピーカーユニット２０８に送信することによって行われる。スピーカーユニットは、信号処理を用いて単一の入力ストリームから２つ（またはそれ以上）のオーディオ信号を導出する。代替的には、コントロールユニット２０２は、個々のスピーカーユニット２０８内の増幅段に複数のストリームを直接的に送信することができる。この具体化の代替実施形態は、以下のように図５を参照して示され、説明される。
【００３８】
図３は、いくつかの実施形態における図２の分散型増幅システムのコントロールユニットおよびスピーカーユニットの構成要素を示す。一実施形態では、電源３０４は、他の分散型オーディオ出力段に電力を供給する標準オーディオ増幅器を備える。これは、オーディオ増幅構成（電源）における最大コストのドライバの１つを排除することで、コンポーネントの再利用という効率的な目標を達成するのに役立つ。オーディオ電力増幅器は、典型的には、ＡＣ−ＤＣ電源として構成され、１つまたは複数の低インピーダンスのトランジスタで構成された出力段に電力供給する。ほとんどのオーディオアンプは、２〜４チャネルのデバイスとして構成されており、複数の出力段に電力を供給するために単一電源（ＡＣ／ＤＣオフライン電源（AC/DC offline supply））がファンアウトする（fanning out）。システム３００のアーキテクチャは、電源が個々の出力段から物理的に分離されるように音声増幅プロセスを細分化し、複数の出力段に電力を供給するためにＡＣ活性化（AC stimulus）を効果的に供給するように選択される。したがって、電源は、制御されたオーディオ帯域のＡＣ波形を生成し、規制遵守（例えば、ＮＲＴＬ、ＣＥ、ＦＣＣ、安全分離など）を提供する標準オーディオ増幅器として具体化され得る。
【００３９】
図３の実施形態では、電源オーディオ増幅器に印加される変調入力波形は、コントロールユニット３０２内のオーディオ信号生成器によって生成される。電源増幅器の出力は、様々な出力段への電力分配にのみ使用されるので、重要な忠実度またはスペクトル純度要件はこの電力増幅器に課されない。一般的なＡＣ電源（１２０Ｖｒｍｓ、６０Ｈｚ）に存在する信号と同様に、複数の電源オーディオ増幅器は、下流の分散型オーディオ出力段に電力供給するために最適化されたＡＣ波形を生成する。これにより、既存のオーディオ増幅器は、複数の出力段の分散型アレイ用の電源として機能し、単一のケーブル３０６は、複数の出力段３１０に電力を供給することができる。電源増幅器とケーブル配線が、ラインに接続されたすべての分散型出力段の合計によって必要に応じて適切に電力を供給できるように、全体的な電力消費を適切に決定して管理しなければならない。より多くの電力が必要とされる場合、またはより多くの並列出力段がラインに接続される場合、電源増幅器は、同様の増幅器でブリッジされるか、または並列化され得る。例示的な電源は、チャネル当たり８００Ｗを４オームに供給するか、またはチャネル当たり１０００Ｗを２オームに供給するシネマ級の増幅器（例えば、クラウンＤＳｉ２０００）、または同様の定格の増幅器であってもよい。
【００４０】
図３の実施形態では、コントロールユニット３０２は、チャネルベースのオーディオコンポーネントとオブジェクトベースのオーディオコンポーネントの両方を有する適応オーディオを含む複数のデジタルオーディオ信号を生成する。適応オーディオインターフェースおよびプロセッサは、電源３０４を活性化させる（stimulate）オーディオ信号生成器に信号を供給する。コントロールユニット３０２のデジタルオーディオトランスミッタ３０３は、電力およびデジタルオーディオ信号がバスケーブル３０６上に伝送されるように、デジタルオーディオ信号を電源の出力に直接的に出力する。コントロールユニットはまた、タイミング、振幅及び位相に関してバスを介して適切に伝送されることを保証するために、電力及びデータを調整する適切な回路を含む。いくつかの実施形態は、適応型オーディオアプリケーションに関して図示されているが、任意の適切なオーディオフォーマットが使用されてもよく、コントロールユニット３０２に提供されるインタフェースのタイプに応じて、入力オーディオは、ストレートデジタルオーディオ（straight digital audio）、ハイブリッドオーディオ、純粋なチャネルベースのオーディオ（pure channel-based audio）、純粋なオブジェクトベースのオーディオなどであり得る。アナログオーディオが提供される場合、システムは、必要なデジタルオーディオ信号を提供して電源３０４を活性化し、バスケーブル３０６にデジタルオーディオ入力を提供するための一体型または別個のアナログ−デジタルコンバータを含むことができる。一実施形態では、コントロールユニット３０２は、主に電源の出力に結合されるデジタルデータを出力し、電源に対する入力は、アナログ音声帯域変調信号（すなわち、正弦波、ピンクノイズ（pink-noise）、総計オーディオ信号など）で活性化される。したがって、デジタルデータは主に電源の出力にルーティング／結合されるが、電源への入力は、デジタルまたはアナログ技術を用いて制御され得る。
【００４１】
電源３０４が標準または他のタイプの増幅器を含む実施形態では、システム３００は、増幅器に電力活性化信号を生成するように構成され、増幅器の出力に接続されたラインが、デジタルデータストリームをスピーカーワイヤまたはバスケーブル３０６に伝送する。デジタルデータストリームワイヤは、Ａ／Ｄ（アナログ／デジタル）回路を介してコントローラのセンスライン（sense line）として使用され得る。次に、コントローラ３０２は、各増幅器チャネルから来る入力信号と出力信号とを比較する。これにより、利得修正調整（gain modification adjustment）（例えば、ユーザが増幅器の利得を変更した場合、システムが、補償するための入力信号を調整することができる）、歪みの不良監視（fault monitoring for distortion）、存在する信号の不良監視、利得構造を最適化するための自動化されたシステム構成、および他の同様の機能を含む。不良監視アプリケーションでは、不良が検出された場合、システムは、不良をログに記録し、接続されたネットワーク（例えば、インターネット）を介して不良通知を送信し、および／または電力信号のパルスを対応するチャネルに送信することにより、不良増幅器の（複数の）チャネルに警報音を鳴らすか、または増幅器信号光（amplifier signal light）を点滅させるなどで可聴または視覚的な警告を発する。
【００４２】
一実施形態では、コントロールユニット３０２を各スピーカーユニット３０８にリンクさせるバスケーブル３０６は、単一の二線式導体スピーカーケーブル（two-conductor speaker cable）（または三線式導体電源ケーブルなど）である。データは、インターネットプロトコル（ＩＰ）規約を使用してバスを介して送信されるが、他のプロトコルも可能である。コントロールユニットによって生成されたチャネライズドオーディオ情報（channelized audio information）が出力段に供給されることを可能にするのに十分な帯域幅とチャネル分離を提供するために、標準的な電力線通信フォーマットが利用される。標準的な電力線通信プロトコルの例には、ＩＥＥＥ  １９０１（ＨｏｍｅＰｌｕｇ  ＡＶ  １．１）およびＧ．ｈｎプロトコルが含まれる。実施形態はこれに限定されるものではなく、分散型出力段に独立したオーディオストリームを配信するために電源ケーブルを介してデジタルオーディオ情報を送信するための他の標準化されたプロトコルまたは独自の技術も可能である。
【００４３】
電力信号およびデジタルオーディオ信号は、同じ導体を介して送信され、周波数スペクトルの異なる帯域でコード化される。図４は、一実施形態において、周波数帯域による電力信号と音声信号の分離を示す。図４に示すように、電力成分４０２は０（ＤＣ）と２０ｋＨｚとの間の比較的低い周波数帯域に分類されるが、幾つかの実施形態ではそのような分類に限定されず、デジタルデータ成分４０４は一例として１ＭＨｚから１００ＭＨｚまでの帯域で伝送される。非標準のオーディオ増幅器が使用される用途では、２，３百または数百ｋＨｚ（例えば、０（ＤＣ）から５００ｋＨｚ）の高い電力送信帯域で電力が送信され得ることに留意されたい。同様に、図４では、送信帯域周波数は、１〜１００ＭＨｚのような他の周波数範囲に及んでもよい。場合によっては、使用されるＰＬＣｓ（programmable logic chips）などのコンポーネントの能力に応じて、１００ＭＨｚを超える周波数でデータ伝送が実行され得る。
【００４４】
図４に関して図３を参照すると、第１のデジタルデータトランシーバ３０３は、第２の伝送帯域４０４を生成して電源の出力に結合する。電源への入力は、典型的には、中／高周波数帯域（１〜１００ＭＨｚ）内ではないベースバンドオーディオ変調からなる。
【００４５】
図３に示すように、バス３０６によって送信された電力信号およびオーディオ信号は、Ｎ個のスピーカーユニット３１０によって受信される。各スピーカーユニット３０８は、（通常、受信モードに設定される）デジタルオーディオトランシーバ（digital audio transceiver）３０７、電力リカバリー回路３０９、関連するスピーカーを駆動する出力段３１１を含む。デジタルオーディオレシーバは、オーディオ信号をデコードし、接続されたスピーカー３１０を駆動するために適切なチャネル（またはオブジェクト）オーディオを出力段に送信する。デジタルオーディオレシーバは、情報をコントロールユニット３０２に返送するように構成されているという点で、より一般的にはデジタルオーディオトランシーバと呼称されてもよい。一実施形態では、デジタルオーディオトランシーバ３０７は、状態情報（例えば、熱、電圧、電流、インピーダンス、ダウンアングル（down-angles）など）をコントロールユニットに返送するように構成されてもよい。伝送プロトコル（例えば、１９０１及びＧ．ｈｎ）及びＰＬＣコンポーネントは、典型的には、スピーカーユニット３０８とコントロールユニット３０２との間のデータリンクにおける双方向通信をサポートする。双方向データリンクの場合、コントロールユニット３０２内のデータトランスミッタ３０３は、より一般的には、単にトランスミッタではなくトランシーバとしても表される。構成要素３０３および３０７は、それぞれ、データリンク構成および通信方向に応じて、送信／受信モードの両方またはいずれかで動作するように構成され得る。したがって、システムは、全二重モード（双方向通信）で構成されてもよく、または半二重動作（一方向通信）で設定されてもよい。したがって、トランシーバのスイッチング動作は、離散動作（discrete operation）（半二重の場合）であってもよく、または自動動作（全二重の場合）であってもよい。
【００４６】
他の関連特性とともに、上記した動作条件および特性など（熱、電圧、電流、インピーダンス、ダウンアングルなど）のステータス情報も収集するように、１つまたは複数のセンサが設けられ、スピーカーユニットに関連付けられてもよい。スピーカーユニット３０８は、関連するスピーカーを収容するキャビネットに埋め込まれるか、または内蔵される小型回路として具体化されてもよく、スピーカーに密接に結合されたモジュールまたはコンポーネントとして具体化されてもよい。一実施形態では、スピーカーユニットの電力リカバリー回路は、容量性記憶素子（capacitive storage element）に結合された低インピーダンス・スピーカードライバを含む。スピーカードライバは、スピーカーユニットが入力オーディオ信号に付加的または補足的な電力を供給して、ブーストまたは利得のレベルを提供することを可能にする。容量性記憶素子を低インピーダンスのスピーカードライバに結合することにより、スピーカーユニットは、電源からエネルギーを捕捉して蓄積することができ、必要に応じて出力電圧を昇圧または増幅することができる。このことは、システムが、接続されたラウドスピーカーをインバウンドパワー信号（inbound power signal）の電圧振幅に一致またはそれを上回る電圧レベルに駆動することを可能にする「エネルギーハーベスティング（energy harvesting）」の具体化を表す。
【００４７】
デジタルオーディオトランシーバは、Ｎ個のスピーカーの各スピーカーで異なるソースコンテンツを再生することができるように、マルチチャネルデジタルデータに提供されたチャネル割り当てをデコードし、デコードされたチャネル割り当てに基づいて、デジタルデータを関連するスピーカーに変調するデコード回路を含む。
【００４８】
各キャビネットが、システムのコミッショニング（system commissioning）、メンテナンス、および監視に役立つ様々なテレメトリ（telemetry）をデジタルで報告できるように、各スピーカーユニットは、各スピーカーで「インテリジェント（intelligent）」な電子部品を構成し、コントロールユニットと各スピーカーユニットとの間のトランシーバインターフェースは、双方向デジタル通信チャネルを確立する。動作パラメータは、ダウンアングル、ローカリゼーション（localization）、エクスカーション（excursion）などの側面を含む。また、すべてのスピーカーにオンボード電源および安定化電源を搭載した結果、ラウドスピーカーは、ＬＥＤ、エフェクト・ライティング（effect lighting）、パンチルト自動化（pan-tilt automation）のためのサーボ・モーター制御などのＩ／Ｏデバイスを必要に応じて使用することができる。ラウドスピーカー・テレメトリ認識（Loudspeaker telemetry awareness）（例えば、ダウンアングル、ローカリゼーションなど）、およびスピーカーごとの性能／不良監視も可能な特徴である。複数の出力段はローカル容量性バルクストレージ（local capacitive bulk storage）を搭載するため、各チャネルは、隣接チャネルとの追加された分離レベルを有する。このことは、増幅器のクロストークおよび動的相互干渉（inter-dynamic interference）を低減するのに有益であり、電力信号の電圧よりも高い、短時間の瞬間の電圧スイングを可能にすることにより、容量性バルクストレージがエネルギーハーベスティング機能を提供するという利点を補う。
【００４９】
上述のように、幾つかの実施形態は、ラウドスピーカーまたはスピーカーユニット２０８に配置された小型の電子アセンブリが独立して２つ以上のスピーカーコンポーネント（例えば、ウーファー、ミッドレンジまたはツイーターなど）を駆動するバイアンプの具体化を含むことができる。この実施形態では、スピーカーユニットは、２つの出力ドライバで構成されており、ウーハーとツイーターの両方、ツイーターとミッドレンジの両方、またはスピーカーユニットによって駆動される複数のドライバの他の組み合わせへの独立したオーディオ信号の駆動を可能にする。２つ（または３つ以上）のスピーカーは、異なる周波数範囲（例えば、低ウーハーおよび高音のツイーター）でオーディオを生成する。高周波及び低周波入力信号の導出は、スピーカーユニット（例えば、アナログ又はデジタルフィルタリング）で実行するか、又はコントロールユニット２０２は、フィルタを実装し、電力／データバスを介して２つのデジタルオーディオストリームを使用することができる。一般に、スピーカー設計の当業者に理解され得るこの構成にはいくつかの利点があるが、それらは通常、独立したケーブル（４本のワイヤ２ＨＦ、２ＬＦ）を有する２チャネル増幅器を使用して具体化されるか、または内部ＡＣ電源、オーディオ入力、および２チャネル増幅器を備えた電力供給されるラウドスピーカーを用いて具体化され得る。本明細書で説明されるように共通の電力／データバスを共有する概念を使用することにより、バイアンプスピーカー（bi-amping speakers）の比較的簡易的な具体化が可能になる。
【００５０】
図５は、スピーカーユニットがバイアンプ構成を介して２つの異なるスピーカーを駆動する実施形態を示す。図５の実施形態では、スピーカーユニット５０２は、適切な異なる複数の周波数範囲でオーディオを導出し生成するフィルタ機能５０４を含み、ツイーター／ウーファーの対、ツイーター／ミッドレンジの対、または異なる複数のスピーカーの他の適切な対（又はアレイ）として具体化されたスピーカー５１０および５１２を駆動する。各スピーカーは、それ自体の専用のドライバ／増幅回路５０６／５０８に結合されてもよく、または単一の増幅器が、両方のスピーカーに設けられてもよい。なお、フィルタ機能またはコンポーネント５０４は、スピーカーユニットまたはコントロールユニットの一部として含めることが、図５では、スピーカーユニットの一部として示されていることに留意されたい。したがって、一実施形態では、スピーカーは、低周波数ドライバおよび高周波数ドライバを有するマルチドライバシステムを備え、システムは、低周波数ドライバを駆動する第１ドライバおよび高周波ドライバを駆動する第２ドライバを有する。入力オーディオを低周波数ドライバおよび高周波数ドライバに送信される個別の周波数帯域に分離するフィルタを含む。フィルタは、構成要素に結合されたコントロールユニットの一部として提供されてもよく、またはスピーカーに密接に結合されてもよい。
【００５１】
一実施形態では、分散型増幅システムは、「空間オーディオシステム」、「ハイブリッドオーディオシステム」、または「適応型オーディオシステム」と呼称されるサウンドフォーマットおよび処理システムで動作するように構成されたオーディオシステムの一部として具体化される。そのようなシステムは、観衆の集中（audience immersion）、より高度な芸術的な制御、システムの柔軟性とスケーラビリティを向上させるオーディオフォーマットとレンダリング技術に基づいている。全体的な適応オーディオシステムは、一般に、従来のチャネルベースの複数のオーディオ要素と複数のオーディオオブジェクトコーディング要素（オブジェクトベースのオーディオ）の両方を含む１つまたは複数のビットストリームを生成するように構成されたオーディオコード化、配信、およびデコードシステムを備える。このような組合わされた手法は、別々に取得されたチャネルベースまたはオブジェクトベースの手法と比較して、より高いコーディング効率とレンダリングの柔軟性を提供する。
【００５２】
複数のオーディオオブジェクトは、リスニング環境内の特定の物理的位置または複数の位置から発することが知覚されるサウンド要素のグループとして考慮され得る。そのようなオブジェクトは、静的（すなわち、静止）または動的（すなわち、動く）であり得る。複数のオーディオオブジェクトは、特定の時点でのサウンドの位置を他の機能とともに定義するメタデータによって制御される。複数のオブジェクトが再生されるとき、これらオブジェクトは、必ずしも所定の物理チャネルに出力されるのではなく、存在する複数のスピーカーを用いて位置メタデータに従ってレンダリングされる。セッション内のトラックはオーディオオブジェクトになり、標準のパンニングデータ（panning data）は位置メタデータに類似している。このようにして、オーディオ処理または生成システムで使用されるモニタまたはディスプレイ上に配置されたコンテンツは、チャネルベースのコンテンツと実質的に同じ方法でパンすることができるが、必要に応じて、周囲に配置されたコンテンツは、個々のスピーカーにレンダリングされ得る。この場合、オーディオ処理システムのユーザインタフェースおよび制御情報をディスプレイにレンダリングする適切なグラフィックユーザインタフェース（ＧＵＩ）が、システムの一部として提供される。複数のオーディオオブジェクトが使用されると、個別のエフェクトの所望のコントロールが可能になるが、サウンドトラックの他の側面は、チャネルベースの環境で効果的に機能し得る。例えば、周囲のエフェクトや残響の多くは、実際にはスピーカーアレイに供給されることから利点がある。これらは、アレイを満たすのに十分な幅のオブジェクトとして扱うことができるが、幾つかのチャネルベースの機能を保持することは有益である。
【００５３】
適応型オーディオシステムおよび関連するオーディオフォーマットの具体化例は、Ｄｏｌｂｙ（登録商標）Ａｔｍｏｓ（登録商標）プラットフォームである。そのようなシステムは、９．１サラウンドシステムまたは同様のサラウンドサウンド構成として具体化される高さ（アップ／ダウン）寸法を組み込む。このような高さベースのシステムは、複数の高さスピーカーが複数のフロアスピーカーとｘ．ｙ．ｚ指定（ここで、ｘはフロアスピーカーの数であり、ｙはサブウーハーの数であり、ｚは高さスピーカーの数である）と区別される異なる命名法（different nomenclature）によって指定され得る。したがって、９．１システムは、４台の高さスピーカーを備えた５．１システムを含む５．１．４システムと呼称され得る。通常では、図６は、高さチャネルの再生のための高さスピーカーを提供する現在のサラウンドシステム（例えば５．１．４サラウンド）におけるスピーカー配置を示す。システム６００のスピーカー構成は、床面に５つのスピーカー６０２と、高さ面（height plane）に４つのスピーカー６０４とで構成されている。一般的に、これらのスピーカーは、部屋内のおおよそ正確な任意の位置からでも発するように構成されたサウンドを生成するように使用され得る。図６に示すような予め設定された複数のスピーカー構成は、所与の音源の位置を正確に示す能力を当然に制限することになる。たとえば、音源を左スピーカー自体よりも左にパンすることはできない。このことは、すべてのスピーカーに適用され、それによって、ダウンミックス（downmix）が制約されている１次元（例えば、左右）、２次元（例えば、左右および前後）、または３次元（例えば、左右、前後、上下）の幾何学的形状を形成することができる。このような複数のスピーカー構成では、様々な異なるスピーカー構成およびタイプが使用され得る。例えば、特定の向上したオーディオシステムは、９．１，１１．１，１３．１，１９．４、またはｘ．ｙ．ｚ構成によって指定されたような他の構成の複数のスピーカーを使用することができる。スピーカーのタイプは、フルレンジのダイレクトスピーカー、スピーカーアレイ、複数のサラウンドスピーカー、複数のサブウーファー、複数のツイーター、およびその他のタイプの複数のスピーカーを含み得る。一実施形態では、複数のスピーカーの各々は、図１〜４に示すように、電力及びデジタルオーディオの両方を送信する二線式導体バスを介してコントロールユニットに結合された関連スピーカーユニットを有する。適応オーディオコンテンツは、適応オーディオインターフェースなどを介してコントロールユニットにマッピングされ、システムによって使用されるＩＰバックボーンは、オーディオを適切な複数のスピーカーにマッピングする。
【００５４】
本明細書で説明されるオーディオ環境の態様は、適切な複数のスピーカーおよび複数の再生デバイスを介するオーディオまたはオーディオ／ビジュアルコンテンツの再生を示し、映画館、コンサートホール、屋外劇場、家庭内のホームシアターまたは部屋、会議室、リスニングブース、車、ゲームコンソール、パブリックアドレス（ＰＡ）システム、または任意の他の再生環境などのリスナーがキャプチャされたコンテンツの再生を経験している任意の環境を示すことができる。幾つかの実施形態は、空間オーディオコンテンツが映画またはテレビコンテンツに関連する商業劇場またはホームシアター環境における複数の例および複数の具体化に関して主に説明されているが、幾つかの実施形態はまた、ゲーム、スクリーニングシステム（screening systems）、およびその他のモニタベースのＡ／Ｖシステムなどの他の消費者ベースのシステムで具体化され得ることに留意されたい。オブジェクトベースのオーディオおよびチャネルベースのオーディオを含む空間オーディオコンテンツは、任意の関連コンテンツ（関連付けられたオーディオ、ビデオ、グラフィックスなど）と共に使用されてもよく、またはスタンドアロンオーディオコンテンツ（standalone audio content）を構成してもよい。
【００５５】
パワード・ラウドスピーカー（Powered loudspeakers）は、プロオーディオセグメントでは長い間普及してきたが、すべてのスピーカー位置にラインレベル（line-level）のオーディオ入力信号をすべてのスピーカー位置に引き込むとともに全てのスピーカーにハイパワーのＡＣ−ＤＣ電源を組み込むことに伴うコストは高額となる。ただし、分散型電源構成を使用すると、マルチボックス構成（multi-box configuration）は並列化され、マスター電力供給アンプで駆動され、各スピーカーエレメントは独自のデジタルオーディオストリームを提供することができる。他に興味深いことは、学校、病院、空港、モール、オフィスビルなどの幅広いアプリケーションに使用されている７０Ｖ分散型システムである。これらのシステムは、各ラウドスピーカーの位置に対して、必要に応じて正味の負荷とパワータップ（net load and a power tap）を管理するためにセットアップおよびセットダウントランスフォーマー（step-up and step-down transformers）を使用する。残念なことに、これらのトランスフォーマーは高価であり、電力容量を制限し、フルバンドのオーディオ忠実度を許容しない。分散型増幅システムを使用することにより、各ラウドスピーカーには、フルバンドデジタルオーディオ、より高い電力供給、および潜在的な低コストが提供され得る。
【００５６】
したがって、分散型増幅システムの用途は、プロフェッショナル、家庭および大規模な分散型オーディオアプリケーション、またはケーブルおよび電力供給の必要性を最小限にすることが有益な任意の仮想的なアプリケーションに分類される。実施形態によれば、電源として標準のオーディオ増幅器、および各スピーカーを介して異なるオーディオコンテンツを再生するためにセットアップされ得る構成において多くの別個のスピーカーがデイジーチェーン接続され得るバスとして標準の二線式導体スピーカーワイヤーを用いることができる。システムは、ライン上で同時に電力およびデジタルオーディオストリームの両方を、電力をリカバリーし、適切なデジタル信号をデコードし且つルーティングする各スピーカーに関連付けられた小型スピーカーユニットに送信する。現在のシステムの改良は、劇場および他の環境が既存の配線および設備インフラストラクチャ（例えば、同じオーディオ増幅器、既存のケーブル、既存のスピーカレイアウトなど）を使用する可能性があるために有利である。
【００５７】
上記の説明および以下の請求項に関連して、文脈が他に明白に要求しない限り「含む（comprising）」、「含むこと（comprising）」などの用語は、排他的または網羅的な意味ではなく、言い換えれば、「含むが、これに限定されない」という意味において、包括的な意味で解釈されるべきである。単数形の用語を使用する文は、複数形を含むとみなされ、その逆も同様である。さらに、「本明細書」、「以下の」、「上の」、「下の」および類似の用語の単語は、本出願全体を指し、本出願の特定の部分を指すものではない。「または」という用語が２つ以上の項目のリストを参照するのに使用されるとき、その用語は以下の解釈のすべてをカバーする：リスト内の項目のいずれか、リスト内のすべての項目、および、リスト内の項目の任意の組み合わせ。
【００５８】
本明細書を通して、「一実施形態」、「いくつかの実施形態」または「特定の実施形態」という言及は、実施形態に関連して説明される特定の特徴、構造または特性が、開示された（複数の）システムおよび（複数の）方法の少なくとも１つの実施形態に含まれる。したがって、本明細書の全体にわたって様々な箇所における「一実施形態では」、「いくつかの実施形態では」、または「特定の実施形態では」という表現は、同じ実施形態を指している場合もあるし、またはそうでない場合もある。
【００５９】
さらに、特定の特徴、構造、または特性は、当業者にとって明らかであるように、任意の適切な方法で組み合わせることができる。
１つまたは複数の実装形態が、例として、特定の実施形態に関して記載されているが、１つまたは複数の実装形態は、開示された実施形態に限定されないことを理解されたい。むしろ、これらの用語の使用は、当業者には明らかであるような様々な変更および類似の構成を含むことが意図されている。したがって、添付の特許請求の範囲は、そのような修正および同様の構成をすべて包含するように、最も広い解釈に従うべきである。
【図１】
0006515200.tif 000002
【図２】
0006515200.tif 000003
【図３】
0006515200.tif 000004
【図４】
0006515200.tif 000005
【図５】
0006515200.tif 000006
【図６】
0006515200.tif 000007